(57)【要約】【課題】麻、木材等のパルプ類を原料として機械漉きされる和紙において、抗菌性、吸着性を高め、さらに強度や紫外線のカット能力を向上させ、広範囲の利用価値を生むものである。【解決手段】抄紙前工程におけるパルプ原液調合中に、パウダ−状、繊維状シルク及び高分子キトサン、低分子キトサンを添加して漉き込まれた紙。【特許請求の範囲】
【請求項１】
麻や木材等のパルプを原材料として機械漉きで製造される紙において、原材料を調合、解砕工程でシルクとキトサンを添加して、漉き込んだ和紙の中にシルクとキトサンが点在していることを特徴とする和紙。
【請求項２】
添加するシルクとしては、短繊維状シルクとパウダ−状シルクを同時に、またはそれぞれを個々に用いて漉き込んだ紙。
【請求項３】
キトサンとしては、高分子キトサン（分子量７０，０００以上）と低分子キトサン（分子量２０，０００以下）を同時に、またはそれぞれを個々に用いて漉き込んだ紙。
【請求項４】
シルクとキトサンを漉き込んだ紙を創傷被覆するために一般に用いられるガ−ゼの代替材として使用すること。
【請求項５】
シルクとキトサンを漉き込んだ和紙を女性の化粧落しに使用すること。
【請求項６】
シルクとキトサンを漉き込んだ和紙の両面に不織布をサンドイッチ状に貼り付けた積層紙。
【発明の詳細な説明】
【技術分野】
【０００１】
わが国の伝統的紙漉き技術ベ−スとして、麻や木材、わら等のパルプ類に機能性成分として絹織物の原料であるシルク、及びカニ殻を化学処理して得られるキトサンを添加して多用途に適応できる機能性紙の製造方法と用途。
【背景技術】
【０００２】
紙の原料は従来コウゾウやミツマタ等が主体であったが、抄紙用機械装置の普及とともに、原料が安価に入手できる麻や木材、わら等のパルプ類を用いて大量生産が行われるようになった。紙は一般的に洋紙に比較して丈夫であること、使いやすいこと、工芸品として精神的な癒し効果があるなどから日常生活に深く結び付いた素材である。
近年、この紙にゼオライト等の無機物質や低レベル放射性物質、またシルクやタンニン等の有機物質などを添加、付与した機能性複合材料が開発され、従来の紙用途と異なった新しい使い方が考案されている。生活様式の急速な変化、価値観の多様化など伴って、紙の特性を残しながらさらに機能性を高めた、また新しい用途に適合する紙求められている。
【０００３】
紙をベ−スとした機能性紙としては、次のような特許が出願されている。紙用パルプにゼオライト等の通気性物質を混合したもの、紙表面、及び紙の中にゼオライト系抗菌剤を均一分散させた化粧紙の製造、絹布または絹入り和紙にタンニンを塗着、浸漬させる方法、コウゾウ、ミツマタ等を材料とした紙にシルク片が点在するものがあるが、紙材料の中にシルクとキトサンを添加した原料液を用いて漉きこんで作る紙およびその製造法に関する特許はこれまで見当たらない。
【０００４】
【特許文献１】実開平８−４１４  通気性、吸水性を有する和紙
【特許文献２】特開平９−２２４８６８  抗菌化  粧紙及びその製造法
【特許文献３】特開平８−２３８０８０  食品保存用鮮度保持材
【特許文献４】特開２００２−３０５９６シルク入り和紙
【発明の開示】
【発明が解決しようとする課題】
【０００５】
コウゾウ、ミツマタよりはるかに安価で入手が容易な木材、麻パルプを主原料とした紙に抗菌性、人肌に対し優しい触感、付着性、及び保水性を付与して、女性の化粧や皮膚の汚れを落し紙として、また軽傷を負った時にガ−ゼの代わりに創傷被覆材として使用可能な紙を製造する。また、紙は洋紙に比較すると紫外線に強いが、紫外線をカットして紫外線の影響をさらに弱めて変色し難く、強度的にも優れた新規用途開発が可能な紙を製造。
【課題を解決するための手段】
【０００６】
木材、麻パルプ等の安価紙原料の解砕工程でパルプ溶解液にカニやエビなどの甲殻類
の殻に含まれるキチンを脱アルカリ化反応させて作られる分子量の異なるキトサンと短繊維状のシルク、または短繊維状のシルクとパウダ−状のシルクを一緒に添加して、よく撹拌、それらをパルプに付着させて紙を漉き込み、和紙の中にシルクとキトサンを均一に分布させる。
【発明の効果】
【０００７】
キトサンを添加することにより、紙に抗菌性と感染防御作用が付与される共に、触感、保水性、適度な粘性による皮膚への付着性が良好になる。短繊維シルクの添加により
紙の強度を高めると共に、紫外線カットによる変色防止が期待できる。パウダ−状の
シルクの添加により肌触りを向上させ、更に化学物質を分解する能力を備えることも期待できる。そのため、女性の化粧や皮膚の汚れを落し紙として、また軽傷を負った時にガ−ゼの代わりに創傷被覆材としての使用も可能となる。
【発明を実施するための最良の形態】
【０００８】
一定量の麻と木材パルプを水中で撹拌し、その中に高分子キトサンと低分子キトサン、あるいは高分子キトサン、低分子キトサンそれぞれ単味と、繊維状シルク及びパウダ−状シルクを分散させた水溶液を添加した原料液を抄紙用機械でパルプ繊維の中にシルク、キトサンが均一に分布させる紙製造法。
なお、高分子キトサンは水中で負に帯電して凝集機能を発揮する、また低分子キトサンは水溶性でありが付着性に優れており、パウダ−シルクも粘着性を有するため、配合されたキトサン・シルクは各パルプ繊維によく付着するため、目標の成分、特性を有する紙となる。
【０００９】
キトサン、シルクの配合比は、次の通りである。高分子キトサン８％〜１６％、低分子キトサン０から１６％、パウダ−シルク４％〜８％、繊維状シルク８％〜１６％。なお、キトサンの配合比が増えると乾燥工程で原料が乾燥ドラムに付着することがあるので、
低分子キトサンの配合量を調整することが必要である。
【実施例１】
【００１０】
次の原料配合で漉き込んだ紙は、シルク・キトサンが紙全面に均一に分布しており、それぞれの機能が確認された。なお、紙の性質は通常の麻、木材パルプのみで漉いた紙に比較して、色彩はほほ同程度であるが、表面に凹凸があり、強度が弱い。しかし、単位面積当たりの表面積が大きく吸着性、吸湿性に優れているので、汚れをふき取りするには適している。                                        
配合例1
2005232636.tif 000002
【実施例２】
【００１１】
次の原料配合で漉き込んだ紙は、材質的に実施例１とほとんど変わらなくシルク・キトサンが紙全面に均一に分布しており、それぞれの機能が確認された。但し、糊作用のある低分子キトサンを含まないため、シルクのパルブへの付着性能がやや見劣りした。
配合例２
2005232636.tif 000003
実施例１，２で得られた紙の両面を不織紙で覆い、サンドイッチ状態にした紙を作成すると、紙の表面は非常に滑らかであるため、皮膚の弱い箇所に付着した汚れを落としたり、皮膚に生じた僅かな創傷を被覆するのに適している。
【産業上の利用可能性】
【００１２】
抗菌性、吸着性、肌触りのよさから女性の化粧落としに最適である。また指手や手のひらなどの油落と用として日常的に使用できる。抗菌性、創傷治癒効果が認められるので、ガ−ゼの代用品として、日常的におきる軽度な擦り傷の被覆財材として用いることが可能である。その他日常品としての用途は広い。
【図面の簡単な説明】
【００１３】
【図１】シルク、キトサン入り紙の製作工程
【図２】シルク、キトサン入り紙の断面拡大図
【符号の説明】
【００１４】
１  原料調合槽
２  シルクキ・トサン貯蔵庫
３  原料はかり
４  攪拌装置
５  抄紙装置
６  乾燥装置（ドラム式）
７  紙
８  シルク片
９  シルク粉
10  キトサン
【図１】
2005232636.tif 000004
【図２】
2005232636.tif 000005